(57)【特許請求の範囲】
【請求項１】
商用電源に接続されたことを検出し、所定時間経過後電源スイッチがオフ状態であるときは複雑なデモンストレーション表示を含む第１の機能表示状態とし、電源スイッチがオン状態であるときは前記第１の機能表示状態よりも表示内容を限定したデモンストレーション表示を含む第２の機能表示状態となることを特徴とする音響装置。
【請求項２】
第１または第２の機能表示状態は表示禁止操作または他の機能操作により停止させるよう制御することを特徴とする請求項１記載の音響装置。
【請求項３】
商用電源に接続されたときに制御部の初期化を行っても前回商用電源への接続を絶たれたときの電源スイッチの状態は記憶していることを特徴とする請求項１記載の音響装置。
【請求項４】
商用電源に接続されたときに制御部の初期化を行っても前回商用電源への接続を絶たれたとき、または前回電源スイッチオフにされたときのデモンストレーション表示禁止の状態は記憶していることを特徴とする請求項１記載の音響装置。
【発明の詳細な説明】
【０００１】
【発明の属する技術分野】
本発明は商用電源に接続されると自動的に装置自体の動作をデモンストレーションする機能を持った音響装置に関する。
【０００２】
【従来の技術】
近年、販売店の店先において電子機器を展示するとき、展示効果を高めるため機器の機能を自身でデモンストレーションするものが多くなっている。特に音響機器等においては多機能をアッピールするために多く用いられている。通常この機能は機器を商用電源に接続し、電源スイッチをオンにすることによってデモンストレーションが開始され、電源オフ時には蛍光表示管による集中表示部に限定した表示のデモンストレーションを行っている。
【０００３】
【発明が解決しようとする課題】
しかしながら販売店においては多数の機器を展示しているため、個々の機器の電源スイッチをいちいちオン、オフする手数がなく、毎日の閉店時には電源のブレーカを切断して安全を確保し、翌日は開店前に電源のブレーカを投入して店内のコンセントに一斉に通電しているのが実状である。この場合デモンストレーションをさせるため個々の機器の電源スイッチをオンにしてやらなければならないという問題点があった。
【０００４】
本発明はこのような販売店における機器展示の実状を考慮し、このような状況においていちいち電源スイッチをオンにしなくてもデモンストレーションを開始し、展示効果を高めることのできる音響装置を提供することを目的とする。
【０００５】
【課題を解決するための手段】
上記課題を達成するための本発明の音響装置の請求項１の構成は、商用電源に接続されたことを検出し、所定時間経過後電源スイッチがオフ状態であるときは複雑なデモンストレーション表示を含む第１の機能表示状態とし、電源スイッチがオン状態であるときは前記第１の機能表示状態よりも表示内容を限定したデモンストレーション表示を含む第２の機能表示状態となることを特徴とするものである。
【０００６】
この構成により特に販売店や展示場などのようにＡＣ電源を一括して投入・遮断するような所においても音響装置が自身のデモンストレーションを有効に行うことができる。
つぎに同じく請求項２の構成は、請求項１の構成において、第１または第２の機能表示状態は表示禁止操作または他の機能操作により停止させるよう制御することを特徴とするものであり、デモンストレーションを行っていても操作者の操作に応じて直ちにそれを中止し必要な状態に戻ることができる。
【０００７】
つぎに同じく請求項３の構成は、請求項１の構成において、商用電源に接続されたときに制御部の初期化を行っても前回商用電源への接続を絶たれたときの電源スイッチの状態は記憶していることを特徴とするものであり、電源を元で接・断されても動作中の状態を記憶していて前回と同じデモンストレーションを行う
ことができる。
【０００８】
つぎに同じく請求項４の構成は、請求項１の構成において、商用電源に接続されたときに制御部の初期化を行っても前回商用電源への接続を絶たれたとき、または前回電源スイッチオフにされたときのデモンストレーション表示禁止の状態は記憶していることを特徴とするものであり、使用者の手元でいったんデモンストレーションの必要が無いと判断されたら、その状態を記憶していて要求がない限り不要なデモンストレーションを行わないという効果が得られる。
【０００９】
【発明の実施の形態】
以下図面に基づいて本発明の音響装置の一実施形態について説明する。図１は本発明の音響装置の一実施形態のブロック図、図２は同じくその前面操作部を示す外観図、図３は同じくそのデモンストレーション動作を説明するフローチャートである。図１において電源トランス１には商用交流電圧、たとえばＡＣ１００Ｖを入力する一次巻線１ａ、第１、第２および第３の二次巻線１ｂ，１ｃ、および１ｄがそれぞれ巻回されている。この第１の二次巻線１ｂの出力の低電圧の交流はブリッジ接続のダイオード２に入力されて直流出力を得、定電圧回路３により安定化されている。
【００１０】
定電圧回路３の＋出力は２分され一方は図示の極性のダイオード４を介してマイクロコンピュータ５のＶＤＤ端子に接続される。マイクロコンピュータ５には図示しない音響機器の動作を制御する機能を兼用することができ、また時計機能、任意に設定する時間に音響機器を動作させるためのタイマー機能等を有する。このＶＤＤ端子にはグランドとの間にバックアップ用コンデンサ６が接続され、停電時にマイクロコンピュータ５の状態をバックアップする。ダイオード４はその場合のコンデンサ６の電荷の流出防止のためのものである。またＶＤＤ端子の電圧は抵抗器７を介してトランジスタ８のコレクタに接続され、このコレクタからマイクロコンピュータ５のリセット（ＲＥＳＥＴ）端子に接続されている。
【００１１】
定電圧回路３の出力の他方はコンデンサ９を介してトランジスタ８のベースに接続されている。またマイクロコンピュータ５のＶＤＤ端子から抵抗器１０を介してマイクロコンピュータ５のＡ／Ｄ入力端子と、他端が接地されたパワースイッチ１１の一端とに接続されている。また抵抗器１０とパワースイッチ１１との接続点から抵抗器１２を介して他端を接地された操作スイッチ１３の一端に接続されている。操作スイッチ１３の一端からは必要に応じて抵抗器と各種の操作のための必要数のスイッチとを同様の形態で接続していき、最後に抵抗器１４の一端に接続され、抵抗器１４の他端には他端を接地したデモＯＮ／ＯＦＦ用スイッチ１５の一端に接続されている。図ではスイッチ１１，１３，１５だけが記載されているがスイッチ１３と抵抗器１４との間に操作スイッチと抵抗器を必要な数だけ追加して設けることができる。
【００１２】
スイッチ１１，１３，１５のいずれもが押されていないときはＶＤＤ端子の電圧はハイとなり、パワースイッチ１１が押されたときはローとなり、押されたスイッチによってＡ／Ｄ入力端子の電圧はアナログ的に変化する。マイクロコンピュータ５はＡ／Ｄ入力端子から入力されたアナログ値をデジタル値に変換してそのデジタル値により入力情報を判断する。
【００１３】
パワースイッチ１１がオンされるとＡ／Ｄ端子は接地され、マイクロコンピュータ５はパワースイッチ１１がオンされたことを検出する。操作スイッチ１３がオンされると、マイクロコンピュータ５のＡ／Ｄ入力端子には端子ＶＤＤの電圧を抵抗器１０と１２で分圧したアナログ電圧が印加され、これをディジタル値に変換した値によって操作スイッチ１３がオンされたことを検出する。デモＯＮ／ＯＦＦスイッチ１５がオンされると、マイクロコンピュータ５のＡ／Ｄ入力端子には端子ＶＤＤの電圧を抵抗器１０と抵抗器１２、１４およびこの間に接続された抵抗器とで分圧したアナログ電圧が印加され、これをディジタル値に変換した値によってデモＯＮ／ＯＦＦスイッチ１５がオンされたことを検出する。
【００１４】
マイクロコンピュータ５のＬＥＤ制御出力（ＬＥＤ）端子は抵抗器１６を介してトランジスタ１７のベースに接続され、そのコレクタとグランドとの間に発光ダイオード１８が接続され、トランジスタ１７のコレクタは抵抗器１９を介してマイクロコンピュータ５のＶＤＤ端子に接続されていて、ＬＥＤ端子がローになりトランジスタ１７のコレクタがハイになったときには発光ダイオード１８が点灯する。ＬＥＤ制御出力端子を複数個設けそれらにこのようなトランジスタ、発光ダイオードを含む回路を接続することによって、それぞれのＬＥＤ制御出力端子の出力に対応して点灯させることができる。
【００１５】
マイクロコンピュータ５のパワーコントロール出力（ＰCTRL）端子から抵抗器２０を介してトランジスタ２１のベースに接続され、そのコレクタはリレー２２のコイルを介してダイオード２の整流出力に接続されている。電源トランスの第２の二次巻線１ｃからはリレー２２の接点２２ａ，２２ｂを介してブリッジ接続のダイオード２３に低圧交流電圧が印加され整流されて直流電圧＋Ｂを得、マイクロコンピュータ５によって制御される図示しない音響機器の電気回路の電源として用いられる。直流電圧＋Ｂはまた抵抗器２４を介して定電圧ダイオード２５で定電圧化されてマイクロコンピュータ５によって制御される表示制御回路２６（表示制御手段）に印加されている。また第３の二次巻線１ｄからは表示制御回路２６によって制御駆動され文字、記号、および図形などを可視的に表示する集中表示部であるＦＬ表示管２７のフィラメントにリレー２２の接点２２ｃ，２２ｄを介して接続されている。
【００１６】
図２は本実施形態の音響装置の前面操作部を示す外観図でパネル面３０にはパワースイッチボタン３１、ＭＤ操作スイッチボタン３２、チューナー操作スイッチボタン３３、ＣＤ操作スイッチボタン３４、デモＯＮ／ＯＦＦスイッチボタン３５がある。ＭＤ挿入スロット３６近辺にはＭＤエジェクトスイッチボタン３７、ＦＬ表示管２７やＬＥＤ１８を用いた集中表示部３８近辺にはカセットテープ操作部３９があり、ＣＤチェンジャー部４０近辺にはＣＤエジェクトスイッチボタン４１、ＣＤ選択スイッチボタン４２〜４６がある。カセットデッキ部４７にはテープエジェクトスイッチボタン４８があり、パネル面にはこのほか音量調整器４９が設けられている。上記の各操作スイッチボタンはたとえば半透明の合成樹脂等で形成され、その背後にＬＥＤ１８を配置してボタン操作を行えばＬＥＤ１８が発光してこのボタンにかかわる動作がなされていることを表示できるいわゆる自照式操作ボタンである。
【００１７】
このように構成され、つぎにその動作を図３のデモンストレーション動作を説明するフローチャートを併用して説明する。電源トランス１の巻線１ａに商用交流電圧が投入されると、第１の二次巻線１ｂの低電圧交流はブリッジ接続のダイオード２で整流され、定電圧回路３で定電圧化されてマイクロコンピュータ５のＶＤＤ端子に印加され、またコンデンサ９の充電電流として瞬間的にトランジスタ８のベースに印加され、またコレクタにはやや遅れて印加されることによりトランジスタ８は最初からオンになっており、コレクタすなわちリセット端子はロウレベルとなっているが、コンデンサ９の充電が終了するとトランジスタ８はオフとなるためコレクタすなわちリセット端子はハイとなりマイクロコンピュータ５をリセットする（ステップ１）。
【００１８】
この状態でパワースイッチ１１は押されてないとすれば、マイクロコンピュータ５のパワーコントロール端子の出力はロウでトランジスタ２１はオフであり、リレー２２は動作せず、接点２２ａ，２２ｂ，２２ｃ，２２ｄはオフとなっており、音響機器の電気回路や表示制御回路２６、およびＦＬ表示管２７は動作していない。
【００１９】
ステップ２で１０秒のダウンカウントタイマーが設定される。この１０秒とは普通の場合であれば使用者がＡＣを接続した後、電源スイッチを入れるであろう時間を予想したもので任意に設定すればよい。ステップ３でデモＯＮ／ＯＦＦスイッチ１５によってデモオン状態にされているか、デモオフ状態（デモ禁止状態）にされているかをチェックする。デモ禁止状態になっておればステップ５へ行き、でなければステップ４でタイマーの減纂カウントを行い、ステップ５でタイマーが０で、かつデモ禁止でなくなったかを見、この条件でなければステップ６でデモ禁止でなかればステップ２へ戻ってさらにカウントダウンを続ける。
【００２０】
ステップ６でデモ禁止であればステップ７でパワースイッチ１１がオンになったかどうかを待ち、オンであったなら、パワースイッチ１１によるＡ／Ｄ入力端子の変化をチェックし、（前回ＡＣ投入中にオンになったことを記憶している場合はオン状態と判断する）パワーコントロール端子はハイとなりトランジスタ２０をオンにしリレー２２を動作させて接点２２ａ，２２ｂ，２２ｃ，２２ｄをオンにし、表示制御回路２６、ＦＬ表示管２７は点灯し、＋Ｂ端子に電圧が生ずる。ステップ８でスイッチ１３または他の操作スイッチが押されたかどうかを待ち、押されたならばステップ９で所定の動作を開始して終了する。
【００２１】
ステップ５でタイマーが０で、かつデモ禁止でないときはステップ１０でパワースイッチ１１によるＡ／Ｄ入力端子の変化をチェックし、オン状態でなければステップ１０でパワーコントロール端子をハイにしてトランジスタ２０をオンにしリレー２２を動作させて接点２２ａ，２２ｂ，２２ｃ，２２ｄをオンにし、表示制御回路２６によってＦＬ表示管２７に複雑なデモンストレーション表示をさせ、またＬＥＤ制御出力端子によるＬＥＤ１８の点滅を加えて第１の機能表示状態を開始させる（ステップ１１）このときＦＬ表示管２７の表示に関連する操作ボタンが点灯して操作ボタンと、その操作による動作状態の説明とが同期するようにすればデモ効果は高くなる。
【００２２】
ステップ１０でパワーオン状態であれば同じくパワーコントロール端子をハイにしてトランジスタ２０をオンにしリレー２２を動作させて接点２２ａ，２２ｂ，２２ｃ，２２ｄをオンにし、表示制御回路２６によってＦＬ表示管２７に機能を限定した控え目な表示をさせ、またＬＥＤ制御出力端子によるＬＥＤ１８の点滅も限定して第２の機能表示状態を開始させる（ステップ１２）。
【００２３】
そしてステップ１３でデモ禁止状態になったかをチェックし、なっておればステップ１４でパワーコントロール端子をローにしてトランジスタ２１をオフに、リレー２２を不動作にして電源変圧器二次巻線１ｃ，１ｄからの電圧供給を絶ち、表示制御回路２６とＦＬ表示管２７の動作を停止させてデモを停止させて終了する。
【００２４】
ステップ１３でデモ禁止状態になっていなかったらステップ１５で何か操作キーが押されたかをチェックし、押されなければステップ１３へ戻り、押されていればステップ１６所定の動作を開始し、ステップ１４で上述のようにデモを停止して終了する。
このように本発明の一実施形態によれば、ＡＣ電源を投入しただけで電源スイッチをオンにしなくても所定時間が経過してその間にデモ禁止（停止）のスイッチが押されなければ、または前回の記憶としてデモ禁止が残っていなければ、第１の機能表示状態の複雑なデモ状態となり、パワースイッチがオンされておれば表示内容を限定した第２の機能表示状態のデモ状態となり、販売店店頭における音響装置の展示状況にマッチしたデモを自動的に行うことができる。
【００２５】
さらに上述したように制御部は、投入されていたＡＣ電源がパワースイッチによらずに切断されたときはＡＣ切断前のパワースイッチの状態やデモ禁止状態を記憶するようにしておき、またデモ禁止状態はパワースイッチをオフにしても記憶するようにしておき、制御装置の初期化のときもこの記憶を保持するようにしておけばＡＣ電源の一括投入、一括切断にもＡＣ電源投入時の機器のパワースイッチの状態を再現することができ、また使用者の手に渡った後は通常はデモの必要はないのでいったんデモ禁止にすればパワースイッチをオフにしても、またＡＣ電源を元で接・断してもデモ禁止状態を保持することができ、不要なデモ開始を防ぐことができる。
【００２６】
なお、本実施形態においてＡＣ電源投入時のタイマーの設定時間等の数値は一例であり、必要に応じて設定できるものである。またこの実施形態では表示回路の動作とともに音響回路にも電源が供給されるが、省電力化の必要があれば音響回路には別の遮断回路を設ければよい。さらに表示方法はＦＬ表示管とＬＥＤによるとして説明しているが、表示装置はこれらに限定されるものではない。
【００２７】
【発明の効果】
以上説明したように本発明の音響装置は請求項１の構成により特に販売店や展示場などのようにＡＣ電源を一括して投入・遮断するような所においても音響装置が自身のデモンストレーションを有効に行うことができる。
また同じく請求項２の構成により、デモンストレーションを行っていても操作者の操作に応じてデモンストレーションを停止して直ちに必要な状態に戻ることができる。
【００２８】
また同じく請求項３の構成により、電源を元で接・断されても動作中の状態を記憶していて前回と同じデモンストレーションを行うことができる。
さらに同じく請求項４の構成により、使用者の手元でいったんデモンストレーションの必要が無いと判断されたら、その状態を記憶していて要求がない限り不要なデモンストレーションを行わないという効果が得られる。
【図面の簡単な説明】
【図１】本発明の音響装置の一実施形態のブロック図
【図２】同じくその前面操作部を示す外観図
【図３】同じくそのデモンストレーション動作を説明するフローチャート
【符号の説明】
１  電源トランス
２，２０  ダイオード
３  定電圧回路
５  マイクロコンピュータ
８，１７，２１  トランジスタ
１０，１２，１４  抵抗器
１１  パワースイッチ
１３  操作スイッチ
１５  デモＯＮ／ＯＦＦスイッチ
１８  ＬＥＤ
２２  リレー
２６  表示制御回路
２７  ＦＬ表示管
【図１】
0003777832.tif 000002
【図２】
0003777832.tif 000003
【図３】
0003777832.tif 000004